(57)【要約】【課題】  外貨預金と外貨ＭＭ外国為替取引における機動性、利便性を有しかつ外国為替変動、および金利変動のリスクを基本的に最小に抑えることが出来る究極の低リスク低リターン型であるレバレッジ率を１に固定した外国為替証拠金取引システムを提供する。【解決手段】  その内部に、たとえば株式の信用取引の様な強制決済機能を有することからその取引の前提としてその証拠金とレバレッジ率を設定して、強制決済等々、種々の工夫でこのマーケットの安全性を確保するシステムであって、レート取引市場でレバレッジ率が１に固定した外国為替証拠金取引を容易にするよう支援し、特別な新規な大規模なシステムを必要とせず、既存のシステムにはシステム的に直接リンクしていない、別のシステムを既存のネットワークを介して隔離しての安全な運転が確保できる外国為替証拠金取引システムを提供する。【選択図】図１
2006189982.tif 000002
【特許請求の範囲】
【請求項１】
顧客側通信端末と；
外国為替取引仲介業者側ホストコンピュータシステムであって、ＷＥＢサーバ及びアプリケーションサーバ並びにデータベースサーバを有する該ホストコンピュータシステムと；
銀行、証券会社、為替ブローカーまたはディーラーとの通信制御システム、および／または前記顧客側通信端末と前記ホストコンピュータシステムとの通信システムとの間をそれぞれ接続するインターネットを含む通信システムと；
から成り、前記顧客側通信端末から顧客が設定した外国為替証拠金取引の注文情報を受け、その注文に対応して取引を受ける、該外国為替証拠金取引取業者、前記銀行、証券会社、為替ブローカーまたはディーラーとの間の取引を処理する外国為替証拠金取引システムに於いて、
レバレッジ率（証拠金／取引額）を１に固定した外国為替証拠金取引システムを起動し、顧客への外国為替取扱いサービスを特定の手続きで実行するよう指示する特定の手続き指示情報取得手段と；
前記手続き指示情報取得手段からのアクセス中の顧客の契約登録行為を確認して前記特別外国為替証拠金取引システムサービスを受けるに必要な、契約登録と顧客ＩＤの発行及び取引口座開設、口座開設資金を設定して取引開始準備完了となる１連のステップを必要とすることを特徴とする前記外国為替証拠金取引システム。
【請求項２】
所定の記憶媒体を備え該媒体にインターネットや各種データベースから検索された多数の外国為替取引売買情報の各種データを記憶する情報記憶手段と；
その情報記憶手段から検索された取引成功確度が最も高い売買通貨ペアとこれに関連してレバレッジ率が１の関連する各種データを並列に表示し、かつ前期取引成功確率度の欄を持つ画面と；
を具備することを特徴とする請求項１記載の外国為替証拠金取引システム。
【請求項３】
指定された量の証拠金を確立するステップを有する、請求項１乃至２に記載の外国為替証拠金取引システム。
【請求項４】
前記、請求項１乃至３に記載の外国為替証拠金取引システムであって、システム起動後に顧客のユーザＩＤとパスワードの入力を確認してその取引を開始する第１ステップと；
メインウインドウ上にある、「口座情報」画面上で取引口座を顧客が選択するステップと；
顧客が成り行き、或いは指値で取引注文をするステップと；
顧客のポジションの成立の可否を判定し、ポジションが成立し、さらにポジションが決済されて取引を終了するステップと；
から成ることを特徴とする外国為替証拠金取引システム。
【発明の詳細な説明】
【技術分野】
【０００１】  本発明は，外国為替証拠金取引（「外国為替保証金取引」とも言う）システムに関するもので、さらに詳細には、レバレッジ率（証拠金／取引額）が１の外国為替証拠金取引システムであって、インターネットを介して顧客が安全かつ簡便に外国為替証拠金取引を行うシステムに関する。
【背景技術】
【０００２】  銀行預金の保証が１千万円迄となり、少子高齢化で国庫負担の削減が求められる中、自己責任の原則を強いられるまま、いやでも自己の判断で個人の資産管理運用をせねばならない時代に入ってきた。
特に１９９８年の外為法改正従来、個人でも外国為替取引が行えるようになり、ＭＭＦ（Ｍｏｎｅｙ  Ｍａｒｋｅｔ  Ｆｕｎｄ）のことで公社債等での運用する投資信託）、外貨建てＭＭＦ、外貨普通預金などの換金容易性を有する金融商品、特に外国為替証拠金取引に注目する人が増加している。【０００３】  この外国為替証拠金取引は、レバレッジ率に対応するハイリターンが望めるが、ハイリスクも覚悟せねばならず、たとえば株式の信用取引の様な強制決済機能を有することからその取引の前提としてその証拠金とレバリッジ率を設定して、強制決済等々、種々の工夫でこのマーケットの安全性を確保するシステムを有する。【０００４】  一般に金融商品は、顧客の資産運用の安全性、利益性、流動性の三特性を有する特徴があるが、これらを同時に満たす方法は無い。したがって、この中でも、現実のマーケットの実データのリアルタイム状況を把握し、この三特性のどの視点で、またどの組合せ、優先順位で取り組むかを時々刻々判断して売買することは、この分野の専門家でもそれほど容易なものではないのが実状である。【０００５】  従来技術の中には実際、スワップ市場ではあるが、注文条件がそれぞれ異なる顧客と顧客との相対取引注文をレバレッジ率との関係性で最適な処理をしたり（例えば、特許文献１）、外国為替取引における機動性を確保しつつ、その外国為替市場変動リスクを効率的にヘッジできる外国為替取引システムを構築したり（例えば、特許文献２）、多種通貨による比較的安定である定期的外貨積み立てを、インターネットを利用して簡便に行えるシステムを構築したり（例えば、特許文献３）、多種通貨による外貨購入と、スワップポイントの定期的な分配をインターネットを利用して簡便に行えるシステムを提供したりしている等の例が知られている（例えば、特許文献４）。
【特許文献１】特開２００３−９９６１０  号公報
【特許文献２】特開２００４−２１９０６  号公報
【特許文献３】特開２００４−１９２５８７号公報
【特許文献４】特開２００４−２０６３３４号公報
【０００６】  しかし、このような従来のシステムでは、実際問題として、まだ個人がこの種の取引に馴染みが無く、またそのリスキーな面が強調される中、単なるデモ版ではなく、その実際のシステムで運用を安全に体験および学習できる環境が必要であるものの、それらを提供するシステムやその関連する情報サービスも無いことから健全な資産運用を志向する顧客も、その運用を経験する前にリスクを恐れて、このマーケットに参入することを断念したりすることが多かった。そのため健全な外国為替証拠金取引マーケットの成長、すなわち顧客個人のこの取引マーケットサイズは大きくならない傾向にあった。【０００７】  多くの顧客の利便性を考慮して、このようなシステムを実際に構築する場合、レバレッジ率１のシステムとそうでないシステムを共存させて構成する必要上、今までの技術精度とシステム上の信頼精度を超える設計等の、高度なシステム設計が必要であったり、更には大規模かつ複雑なシステムにならざるを得なかったり、結果的に特定の外国為替取引業者、銀行間取引の寡占化を招いていた。しかも、スワップ取引ではなく、将来の市場が大きく成長することが期待されているレート取引に関する取引市場ではレバレッジ率が１に固定の外国為替取引システムは事実上、在り得なかった。
【発明の開示】
【発明が解決しようとする課題】
【０００８】  本発明は、上記事情に鑑みてなされたもので、従来と異なり、本発明の目的は、レート取引市場でレバレッジ率１に固定の外国為替証拠金取引をしようとする顧客の新規売買注文、指値や成行き注文等の妥当性を迅速に自動的に分析を行い得る外国為替証拠金取引システムを提供することにある。【０００９】  また、本発明の別の目的は、既存のシステムに直接の関係が無く並列的にターゲットマーケットにリンクして運用できるため、レバレッジ率が１に固定していない通常の既存のシステムとも分離して安全に運営できる外国為替証拠金取引システムを提供することにある。【００１０】  本発明の目的は、また従来と異なり、レート取引市場でレバレッジ率が１に固定した外国為替証拠金取引システムであって、特別な新規な大規模なシステムを必要とせず、既存のシステムにはシステム的に直接リンクしていない、別のシステムを既存のネットワークを介して隔離しての安全な運転並びに迅速な顧客の売買、停止等の注文情報のマーケットへの送出とそのマーケットの応答の受信を実現できるシステムを提供することである。【００１１】  よって、究極的には、多数の顧客の支援サービス、顧客への外国為替得取引運用に関する教育、訓練、練習などを可能にしこのサービスを介して、この国為替証拠金取引を自己判断できる顧客を多数育成し、もって国の社会経済活動へ貢献する、ということが目的である。【００１２】  しかも、スワップ取引ではなく、より発展性、応用性が高いレート取引に関する取引市場では今までに無かった、レバレッジ率が１に固定の本発明のシステムで、実際の取引状態で顧客個人が納得行くまで各人のスキルを練磨できるシステムを提供することにある。
【課題を解決するための手段】
【００１３】  かかる目的を達成すべく、請求項１乃至、請求項４のこのような構成を採用することにより、外国為替取引情報の迅速な分析が適切かつ短時間に行える。
【発明を実施するための最良の形態】
【００１４】  以下、本発明の実施の形態の一例を図面に基づいて詳細に説明する。【００１５】  図１は、本発明による外国為替証拠金取引システム（以下、本発明システム、または、本システムと呼ぶ）の概念図を表す。この発明によるシステムには、投資家（個人投資家、機関投資家を含む）（１０１）と、銀行、証券会社等を含むブローカー等（１０２）、本発明による外国為替取引システムを提供する為替取引仲介業者（１０３）、これらをインターネット等の通信技術で接続するネットワーク（１０４）等からなる。また、為替取引仲介業者（１０３）と、銀行・証券会社・ブローカー等（１０２）との間の通信は、さらに情報セキュリティに優れたインターネット（ＳＳＬ接続等）や、専用線もしくは、ＶＰＮ（バーチャルプライベートネットワーク）で接続される。【００１６】  為替取引仲介業者（１０３）は、為替取引の仲介を行うにあたり、情報技術・通信技術を駆使して、有効なサービスがはじめて可能になる。その中核をになう本発明による外国為替取引システムで使用される、いわゆる３階層コンピュータシステムである。このシステムは、ＷＥＢ（ウエブ）サーバー（１０７）、アプリケーションサーバー（１０８）、データベースサーバー（１０９）により構成される。またこのシステムを管理、保守する目的の管理端末（１１０）が備わる。また、不正アクセスを防ぐため、ファイアウォール（１１１）が配置される。【００１７】  顧客側は、通常、インターネットブラウザーが使用される（いわゆるＷＥＢクライアント）としての機能を有するものが顧客側通信端末（１０５）である。以上の機能構成部分が有機的に集まって、本発明による外国為替証拠金取引が可能になる。【００１８】  図２は、顧客登録のプロセスを説明するものである。
本発明のシステムによるサービスは、基本的にインターネットによるサービス（いわゆるＷＥＢサービス）である。顧客が本発明システムによるサービスを受けるときは、顧客は、通常、インターネット等の通信手段により、契約登録行為を行う。本発明システムによるサービスの提供業者（外国為替取引業者）は、その契約登録を行った顧客に対し、一意のログイン名／パスワードを提供する。
レバレッジ率が１以外の通常の金融商品サービスと、他の外国為替取引（『従来の方式』）と、本発明に係るレバレッジ率＝１に固定の特別外国為替証拠金取引サービスを対比的に図示したもので、この特別外国為替証拠金取引サービスがその運用システムは他のサービスと全く異なる、又は離隔したシステムの上に運用されるべきであることを明示している。顧客が本発明システムによるサービスを受けるときは、顧客は通常、インターネット等の通信手段により、契約行為を行う。【００１９】  本発明によるシステムにより、外国為替取引を希望する顧客は、そのための契約登録を行う。図２で、２０３に示すように、契約登録手続き（２０４）を行う。次に、顧客ＩＤ等の情報を発行し、これをもとに取引口座が開設される（２０５）。顧客は、さらに、口座開設式を設定し（振込み）、取引開始が可能になる（２０７）。本発明システムは、従来のサービスである、為替取引のレバレッジ率≠１取引や、他の金融商品サービスとは異なる、まったく新しいサービスとして、レバレッジ率＝１のサービスの登録を行うが、これは、他のサービスとは異なる独立のプロセスとなるため、別のサーバー（すなわち、ＷＥＢシステム）を構築することになる。【００２０】  図３は、本発明による外国為替証拠金取引システムのサービスの使用開始から取引の終了までの、すなわち、注文、成立（ポジションの成立または約定）および決済（ポジションの決済）までのプロセスの概要を説明するものである。
まず、取引を開始するため、顧客は、通信端末（通常、ネットワークに接続されたＰＣ）を起動し、本アプリケーションを起動時し、必要なログイン情報を入力する。実施例では、まず「口座情報」画面が現れる。この「口座情報」画面で、取引口座を選択し、次に、「取引レート」画面にある、望む通貨ペアを指定し、「買い」または「売り」を指定し、次に注文プロセス（３０３）に入り、注文が成立すると、その決済を行うことになる。
注文時は、ここで「成り行き」注文、「指値」注文、または「逆指値」注文を指定し、さらに当該注文取引のロット数、価格の指定を行う。【００２１】  図５から図１９までは、これらのプロセスを詳細に説明するものである（後述）。図４は、本発明による外国為替取引システムの基本構成図（ハードウエア概念図）を示すものである。本システムは、外国為替取引をインターネットの環境をベースとしてサービスを提供するもので、顧客端末との情報の交換を行うＷＥＢ（ウエブ）サーバー、その情報をもとに論理的な処理をおこなうアプリケーションサーバ、そして、このアプリケーションに必要な各種データを生成、更新、解析をおこなうデータベースサーバとか構成される、いわゆる３階層を構成する。この他に、不特定多数のインターネットユーザーのアクセスから、本システムを保護するファイアウォールを有し、不正アクセスを防ぐセキュリティの確保を行う。【００２２】  各サーバの役割概要をまとめると、次のようになる。
１）ＷＥＢサーバ
・顧客端末から、ログイン情報、注文情報等受信を受け、バックエンドにあるアプリケーションサーバーに情報を渡す。
・顧客端末への注文情報、決済などのステータス情報をアプリケーションサーバから受け、これを元に、顧客端末のインターネットブラウザーで表示に必要となる、ＨＴＭＬまたはＸＭＬおよびこれにリンクするスタイルシート、イメージ情報を、顧客端末に送信する。
・また、個々の顧客との通信のセッションを維持するための情報のやり取りも行う。【００２３】  ２）アプリケーションサーバ
ＷＥＢサーバ、およびデータベースサーバと連携して、次の機能プロセスを提供する。
・顧客管理プロセス
・口座管理プロセス
・為替取引プロセス（注文、ポジション成立、決済のプロセス）
・履歴管理プロセス
・為替レート参照プロセス
・外部データベース参照プロセス
・システム管理プロセス【００２４】  ３）データベースサーバ
アプリケーションサーバと連携して、各種プロセスを遂行する必要な情報リポジトリを有する。通常、リレーショナルデータベースマネージメントシステムで構築される。主なデータベースは、次のようである。
・顧客管理データベース
顧客管理プロセスに必要な顧客情報（顧客マスター）で、ログオン時、または為替取引時に必要な情報をアプリケーションサーバに供する。
・注文管理／取引履歴データベース
口座管理プロセスに必要な顧客ごとの履歴情報、為替情報、信用取引情報とデータベースとして有する。
・為替情報データベース
取引に必要な為替情報を提供するデータベースである。
・口座管理データベース
口座管理プロセスに必要な顧客ごとのデータベースである。
・外部データベース
銀行、証券会社、為替取引ブローカーまたはディーラー等（インターバンク等）からの情報）
・システムデータベース
システムハードウエア、ソフトウエアのバージョン管理、ウイルス攻撃からの回避するための情報を蓄積したり、またアクセスログ、イベントログ、エラーログ等を蓄積する。【００２５】  以降、本発明による外国為替取引システムのプロセスの中核部分となる、注文、ポジション成立、および決済のプロセスを順を追って説明する。
図５は、注文のプロセスである。まず、図６のように、「口座情報」の画面を選択表示させる。そして、取引口座を選択し、例えばマウスの左クリックで指定し、その項目のデータ枠が強調される。図７は、「取引レート」画面を表すもので、この画面上の取引を行いたい通貨ペアに、「買い」または「売り」を指定する。例では、マウスの右クリックで、当該画面が表示され、その後、「買い」または「売り」を指定ことができる。【００２６】  図８は、注文のプロセスで、「成り行き」、「逆指値」または「指値」を指定することができる。図９は、注文のプロセスで、「成り行き」注文の場合は、このポップアップ画面が現れる。ここで、ロット数入力後、［了解］ボタンを押し、注文を確定する。図１０は、注文のプロセスで、「逆指値」、「指値」の場合を表し、ロット数、価格の設定後、［了解］ボタンを押し、注文を確定する。【００２７】  図１１以降は、以上の図５から図１０までの注文のプロセスを受けて、注文が成立した場合のプロセスを説明する。注文が成立すると基本的には、注文番号とは別に、チケット番号が発せられる。
図１２は、ポジション成立のプロセスで、「成り行き」注文の場合の動きを説明する。「成り行き」の場合では、現在のマーケットレートで注文する。市場は大きく変動していない限り、当該注文は直ちに新規ポジションとして成立される。
また、図１３は、「逆指値」、「指値」の場合である。「逆指値」注文と「指値」注文とは、現在のマーケットレート以外のレートで注文を出す。市場レートの変動により、指示（設定）したレートに達した場合、当該オーダーは新規ポジションに変更する。図１４は、ポジション成立後、確認のプロセスを表すものである。【００２８】  図１５から、図１９までは、決済のプロセスを説明するものである。
決済のプロセスは、「現在のポジション」の画面で、決済したいポジションを選択し（図１６）、ポジションの仕切りを選択し（図１７）、さらに、ポジション仕切りのロット数を指定（図１８）しておこなう。例では、ポジションを選択は、カーソルを其のラインに持って行き、マウスの右クリックで、仕切りの選択し、ロット数と指定して、了解ボタンを押すことにより実行される。
最後に、『現在のポジション』の画面（図１９）で、決済が済んだ項目が削除されていることで確認できる。【００２９】  図２０は、本発明の外国為替取引システムの実施例によるユーザーインターフェース（画面）構成の説明をするるものである。この画面は、（１）メイン・ウィンド上に６つの分割画面（２）〜（７）からなり、為替取引に必要な情報を顧客に提供する。下記に図面の機能と其の関連情報を説明する。【００３０】図２１は、本発明の外国為替取引システムの実施例によるユーザーインターフェース（画面）構成の説明図で、為替取引レートを表示するもので、この例では１８種類の通貨ペアのレートを提供するものである。【００３１】図２２は、本発明の外国為替取引システムの実施例によるユーザーインターフェース（画面）のひとつで、為替情報を提供する。図２３に、提供される情報の解釈として説明をする。【００３２】図２４は、本発明の外国為替取引システムの実施例によるユーザーインターフェース（画面）のひとつで、注文状況の情報を顧客に提供するものである。図２５は、この画面で提供される情報の説明をする。【００３３】図２６は、本発明の外国為替取引システムの実施例によるユーザーインターフェース（画面）のひとつで、顧客の為替取引の現在ポジションの情報を提供するものである。図２７は、この画面で提供される情報の説明をする。【００３４】図２８、本発明の外国為替取引システムの実施例によるユーザーインターフェース（画面）のひとつで、口座情報を顧客に提供するものである。図２９は、この画面で提供される口座情報の解釈をするものである。【００３５】図３０は、本発明の外国為替取引システムの実施例によるユーザーインターフェース（画面）のひとつで、取引口座毎の概要情報を顧客に提供するものである。図３１は、この画面で提供される口座ごとの情報の説明をする。【００３６】図３１は、本発明による外国為替証拠金取引き（もしくは、証拠金取引支援業務処理フローを説明するもので、プロセスの一例として提示するものである。
【発明の効果】
【００３７】  以上説明したように、本発明によれば、上記のように構成されているので、以下のような効果が得られる。
【００３８】  本発明によれば、従来の「外国為替証拠金取引」の、追証またはマージンコールや強制決済のリスクを回避出来るようになったことから、投資の安全性を一層高めることが出来るようになった。
【００３９】  また、従来の「外貨両替」より、投資の成功の確度はその多様なスタンスを取り得ることから、例えば単純な１カ国の通過から、他の通貨へ換金することしか出来ない制限された枠から、ひとつの通貨ペアを「買い売り」または「売り買い］することが出来ることで、従来の「外貨両替」より、投資の多角化、多様性、柔軟な戦略性と即応性を実現できるようになる。
【００４０】  さらにまた、インターネット取引により、取引コストは大きく下げることにが出来ることから、多くの投資家に快適な取引環境を提供することも可能になる。
【発明を実施するための最良の形態】
【第１の実施形態】
【００４１】  図１は、本発明に係る外国為替取引システムの基本構成を示す要部の概念図である。
【００４２】  前記外国為替取引システムは、為替取引仲介業者のその内部にあるホストコンピュータシステムを意識して定時しているもので、顧客側の個人投資家等を想定した顧客側通信ネットワークシステム１０１と、該通信ネットワークシステム１０１内にあってその構成単位である顧客通信端末１０５でインターネット１０４を介してインターバンク市場１０２や為替取引仲介業者側ホストコンピュータシステム１０３とが相互に接続されていることがわかる。
【第２の実施形態】
【００４３】  図２は、本発明に係る、顧客登録に際しそのプロセスを登録開始から、図面を向かって左から、他の通常の金融商品サービス、外国為替取引（レバレッジ率が１以外の）、本発明の外国為替取引（レバレッジ率＝１の外国為替証拠金取引）システムの他の一例を示す要部の概念図である。
【図面の簡単な説明】
【００４４】
【図１】  実施の形態１に係る外国為替取引システムの構成を示す概念図である。
【図２】  実施の形態１および２に係る顧客登録のプロセスを示す概要図である。
【図３】  為替取引プロセスの概要図。
【図４】  外国為替取引システム基本構成概念図。
【図５】  注文のプロセス−注文、成り行き、指値（図３の為替取引のプロセス概要図の一部）。
【図６】  注文のプロセス−「口座情報」画面。
【図７】  注文のプロセス−「取引レート」画面。
【図８】  注文のプロセス−「成り行き」、「逆指値」または「指値」の選択。
【図９】  注文のプロセスの概要説明図−「成り行き」注文の場合。
【図１０】  注文のプロセスの概要説明図−「逆指値］、「指値」の場合。
【図１１】  ポジション成立のプロセス（図３の為替取引のプロセス概要図の一部）。
【図１２】  ポジション成立のプロセス−「成り行き」注文。
【図１３】  ポジション成立のプロセス−「逆指値」、「指値」の場合。
【図１４】  ポジション成立のプロセス−確認のプロセス。
【図１５】  ポジション決済のプロセス（図３の為替取引のプロセス概要図の一部）
【図１６】  ポジション決済のプロセス−ポジションの選択。
【図１７】  ポジション決済のプロセス−ポジションの仕切りの選択。
【図１８】  ポジション決済のプロセス−ロット数を設定および確定。
【図１９】  ポジション決済のプロセス−確認。
【図２０】  本発明の外国為替取引システムの実施例による、ユーザーインターフェース（画面）構成の説明図（その１）
【図２１】  本発明の外国為替取引システムの実施例による、ユーザーインターフェース（画面）構成の説明図（その２）
【図２２】  本発明の外国為替取引システムの実施例による、ユーザーインターフェース（画面）構成の説明図（その３）
【図２３】  為替情報の解釈
【図２４】  本発明の外国為替取引システムの実施例による、ユーザーインターフェース（画面）構成の説明図（その４）
【図２５】  注文情報の解釈。
【図２６】  本発明の外国為替取引システムの実施例による、ユーザーインターフェース（画面）構成の説明図（その５）
【図２７】  現在ポジション情報の解釈。
【図２８】  本発明の外国為替取引システムの実施例による、ユーザーインターフェース（画面）構成の説明図（その６）
【図２９】  口座情報の解釈。
【図３０】  本発明の外国為替取引システムの実施例による、ユーザーインターフェース（画面）構成の説明図（その７）
【図３１】  口座毎の概要情報の解釈。
【図３２】  本発明システムの証拠金取引支援業務処理フロー構成図。
【符号の説明】
【００４４】  １０１      顧客側通信サーバ
１０２      インターバンク側通信サーバシステム又はネットワーク
１０３      為替取引仲介業者ホストコンピュータシステム
１０４      インターネット又はイントラネット
１０５      顧客側通信端末
１０６      為替取引仲介業者側ＷＥＢサーバ
１０７      為替取引仲介業者側アプリケーションサーバ
１０８      為替取引仲介業者側データベースサーバ
２０１      外国為替取引以外の金融商品サービス
２０２      従来の外国為替取引サービス（レバレッジ率≠１）
２０３      本発明に係る外国為替取引サービス（レバレッジ率＝１）
２０４      契約登録
２０５      顧客ＩＤ発行等による取引口座開設
２０６      顧客取引口座開設資金設定
２０７      顧客取引開始準備完了
３０８      システムの起動
３０９      「口座情報」画面上で、取引口座を選択する。
３１０      注文（成り行き、指値等）
３１１      ポジション成立
３１２      ポジション決済
【図１】
2006189982.tif 000003
【図２】
2006189982.tif 000004
【図３】
2006189982.tif 000005
【図４】
2006189982.tif 000006
【図５】
2006189982.tif 000007
【図６】
2006189982.tif 000008
【図７】
2006189982.tif 000009
【図８】
2006189982.tif 000010
【図９】
2006189982.tif 000011
【図１０】
2006189982.tif 000012
【図１１】
2006189982.tif 000013
【図１２】
2006189982.tif 000014
【図１３】
2006189982.tif 000015
【図１４】
2006189982.tif 000016
【図１５】
2006189982.tif 000017
【図１６】
2006189982.tif 000018
【図１７】
2006189982.tif 000019
【図１８】
2006189982.tif 000020
【図１９】
2006189982.tif 000021
【図２０】
2006189982.tif 000022
【図２１】
2006189982.tif 000023
【図２２】
2006189982.tif 000024
【図２３】
2006189982.tif 000025
【図２４】
2006189982.tif 000026
【図２５】
2006189982.tif 000027
【図２６】
2006189982.tif 000028
【図２７】
2006189982.tif 000029
【図２８】
2006189982.tif 000030
【図２９】
2006189982.tif 000031
【図３０】
2006189982.tif 000032
【図３１】
2006189982.tif 000033
【図３２】
2006189982.tif 000034